(57)【要約】【課題】  被測定物が出力した信号のＰＡＭ４シンボルのシンボル列をキャプチャして表示するときに、波形イメージとエラーのシンボル遷移との関係、エラーの特定のシンボル間の遷移が容易に把握できる誤り率測定装置および誤り率測定方法を提供する。【解決手段】  表示部（７）を有する誤り率測定装置（１）において、ディジタル信号は４値以上のシンボル値を持つＰＡＭ信号とされ、制御部（４）は、表示部にシンボル列のそれぞれのシンボルのシンボル値を示すシンボル値表示を、波形イメージ表示を形成する線に対して識別可能に表示するとともに、ＰＡＭ信号の何れかの前記シンボルに生じたエラーによるシンボル値の遷移に基づいて、波形イメージ表示においてエラーが生じたシンボルの波形に対し、振幅方向にエラーによる遷移量および遷移方向を帯状表示することを特徴とする。【選択図】図１
2020136872.tif 000002
【特許請求の範囲】
【請求項１】
入力されるディジタル信号のビット列を波形イメージ表示およびビット値表示として対応付けて表示制御する制御部（４）を有し、表示部（７）に表示する誤り率測定装置（１）において、
前記ディジタル信号は４値以上のシンボル値を持つＰＡＭ（Ｐｕｌｓｅ  Ａｍｐｌｉｔｕｄｅ  Ｍｏｄｕｌａｔｉｏｎ）信号とされ、前記ビット列はシンボル列とされており、前記ビット値はシンボル値とされており、前記制御部は、前記シンボル列のそれぞれのシンボルのシンボル値を示すシンボル値表示を、前記波形イメージ表示を形成する線に対して識別可能に表示するとともに、前記ＰＡＭ信号の何れかの前記シンボルに生じたエラーによる前記シンボル値の遷移に基づいて、前記波形イメージ表示において前記エラーが生じた前記シンボルの波形に対し、振幅方向に前記エラーによる遷移量および遷移方向を帯状表示することを特徴とする誤り率測定装置。
【請求項２】
前記帯状表示は、あらかじめ指定した前記遷移量および前記遷移方向に応じた表示態様に基づいて表示することを特徴とする請求項１に記載の誤り率測定装置。
【請求項３】
前記表示態様は、色彩、輝度、透明度または点滅周期の少なくとも何れかであることを特徴とする請求項２に記載の誤り率測定装置。
【請求項４】
前記表示態様の前記色彩、前記輝度、前記透明度または前記点滅周期は、前記シンボル値の数字が相互に入れ替わる関係の場合には、同色彩、同輝度、同透明度または同点滅周期で統一することを特徴とする請求項３に記載の誤り率測定装置。
【請求項５】
入力されるディジタル信号のビット列を波形イメージ表示およびビット値表示として対応付けて表示する誤り率測定方法において、
前記ディジタル信号は４値以上のシンボル値を持つＰＡＭ（Ｐｕｌｓｅ  Ａｍｐｌｉｔｕｄｅ  Ｍｏｄｕｌａｔｉｏｎ）信号とされ、前記ビット列はシンボル列とされており、前記ビット値はシンボル値とされており、前記シンボル列のそれぞれのシンボルのシンボル値を示すシンボル値表示を、前記波形イメージ表示を形成する線に対して識別可能に表示する表示ステップ（Ｓ３０７、Ｓ３０８）と、
前記ＰＡＭ信号の何れかの前記シンボルに生じたエラーによる前記シンボル値の遷移に基づいて、前記波形イメージ表示において前記エラーが生じた前記シンボルの波形に対し、振幅方向に前記エラーによる遷移量および遷移方向を帯状表示する表示ステップ（Ｓ３０９）とを含むことを特徴とする誤り率測定方法。
【請求項６】
前記帯状表示は、あらかじめ指定した前記遷移量および前記遷移方向に応じた表示態様に基づいて表示することを特徴とする請求項５に記載の誤り率測定方法。
【請求項７】
前記表示態様は、色彩、輝度、透明度または点滅周期の少なくとも何れかであることを特徴とする請求項６に記載の誤り率測定方法。
【請求項８】
前記表示態様の前記色彩、前記輝度、前記透明度または前記点滅周期は、前記シンボル値の数字が相互に入れ替わる関係の場合には、同色彩、同輝度、同透明度または同点滅周期で統一することを特徴とする請求項７に記載の誤り率測定方法。
【発明の詳細な説明】
【技術分野】
【０００１】
本発明は、ＰＡＭ４（４−ｌｅｖｅｌ  Ｐｕｌｓｅ  Ａｍｐｌｉｔｕｄｅ  Ｍｏｄｕｌａｔｉｏｎ）信号をテスト信号として被測定物（ＤＵＴ：Ｄｅｖｉｃｅ  Ｕｎｄｅｒ  Ｔｅｓｔ）に入力してビット誤り率（ＢＥＲ：Ｂｉｔ  Ｅｒｒｏｒ  Ｒａｔｅ）を測定する誤り率測定装置および誤り率測定方法に関する。
【背景技術】
【０００２】
例えば、ＩＥＥＥで定められる１００Ｇや４００Ｇなどの規格においては、ビットレートの超高速化に応えるため、これまでのＮＲＺ（Ｎｏｎ  Ｒｅｔｕｒｎ  ｔｏ  Ｚｅｒｏ）信号による伝送ではなく、ＰＡＭ４信号による伝送が規定されている。
【０００３】
ＰＡＭ４信号は、例えば、下記特許文献１に示すように、２つの信号源を用いて最上位ビット列信号（ＭＳＢ：Ｍｏｓｔ  Ｓｉｇｎｉｆｉｃａｎｔ  Ｂｉｔ）と最下位ビット列信号（ＬＳＢ：Ｌｅａｓｔ  Ｓｉｇｎｉｆｉｃａｎｔ  Ｂｉｔ）を生成した後、これらの信号を足し合わせることで０（００）、１（０１）、２（１０）、３（１１）の４値の信号、すなわち４つのシンボル値として発生することができる。
【０００４】
そして、ＮＲＺ信号に基づくＮＲＺパターンに対応するディジタル通信装置を被測定物としてビット誤り率の測定を行う場合、例えば、下記特許文献２に開示されるビット誤り率測定装置が用いられる。この種のビット誤り率測定装置では、被測定物が電気的なストレスをどの程度許容できるかを測定するため、パルスパターン発生装置から既知パターンの電気的ストレス信号をテスト信号として印可し、このテスト信号を被測定物内部または外部でループバックし、エラー検出装置で受信してテスト信号との比較により、ストレスの印加量に対してエラーの有無を測定する誤り率測定を行っている。
【０００５】
図５は、下記特許文献２に開示される従来のＮＲＺパターンに対応したビット誤り率測定装置の概略構成図である。図示のように、ビット誤り率測定装置１００は、ＲＡＭなどのメモリによって構成されるデータ記憶部１０１、比較データ記憶部１０２、および位置情報記憶部１０３と、集積回路などによって構成される信号送信部（パルスパターン発生装置）１０４、信号受信部（エラー検出装置）１０５、同期検出部１０６、比較部１０７、表示制御部１０８と、ＣＲＴや液晶ディスプレイなどの表示機器１０９、およびキーボードなどの操作部１１０とによって構成され、測定対象５００から受信した入力データと測定対象５００から受信されるべき既知のデータとを比較して誤りビットを測定するビット誤り率測定装置１００において、比較データ記憶部１０２と、受信した入力データと既知のデータとを比較し、所定の検出条件で検出される１または複数の検出ビットを含むビット列の比較データを、検出されることに応じて比較データ記憶部１０２へ順次格納する比較部１０７と、比較データ記憶部１０２に格納された比較データから得られるそれぞれのビット列を、所定の配置条件に従った位置を基準にして並べて表示機器１０９に表示する表示制御部１０８とを備えて構成している。また、ＮＲＺパターンのビット列をキャプチャして表示する場合、図６（Ｂ）に示すように、本当は１であったところが誤って０になっていたビットを黄色、本当は０であったところが誤って１になっていたビットを赤色などに色付けして表示される。すなわち、図６（Ａ）に示す１２ビットの特定のＮＲＺパターン「１１１１１１０１１１１１」であった場合には、図６（Ｂ）に示すＮＲＺパターン「１１１１１１１１１１１０」の中で、エラーが発生したビットが特定の色に帯状に色付けして表示される。
【先行技術文献】
【特許文献】
【０００６】
【特許文献１】特開２０１８−０３３０９８号公報
【特許文献２】特開２００７−２７４４７４号公報
【発明の概要】
【発明が解決しようとする課題】
【０００７】
この種のビット誤り率測定装置では、ＮＲＺパターンのビット列をキャプチャして表示する場合、１、０のビット値の数字の表記のみではなく、図６（Ａ）のように波形イメージも表示することがある。また、キャプチャしたビット列にエラーが発生していた場合は前述した図６（Ｂ）のように波形イメージに重ならないように１、０のビット値の数字の表示に帯状に色をつけるなどしてエラーが発生したことが視覚的に分かるようにしている。
【０００８】
しかしながら、ＮＲＺパターンのビット列をキャプチャして表示する場合は従来の表示方法でよいが、ＰＡＭ４信号に基づくＰＡＭ４シンボルのシンボル列をキャプチャして表示する場合に問題が生じる。ＰＡＭ４信号ではエラーがある場合のシンボル遷移は１つのシンボルに対して３つあり、エラーの有り無しで帯状表示に色をつけるだけではどのようなエラーが検出されたのか判別できず、色を分けるとしても色数が多くなりすぎるため、一目でどのようなエラーが入ったのか判別できない問題がある。つまり、シンボル遷移の種類は１２種類あるため、１２色の色分けをすると色数が多く、シンボル遷移の種類が多いエラーの場合、一見してどのようなシンボル遷移が生じたかが分かりにくい。例えば、シンボルが２と受信されるべきところ３と受信されるエラーが発生した場合と、シンボルが０と受信されるべきところ２と受信されるエラーが発生した場合とを、直感的に把握することが難しい。また、被測定物によっては、例えば２から３へ、また３から２へシンボル遷移する傾向が高い場合がある。このように、特定のシンボル間でシンボル遷移する傾向が高い場合、すなわちシンボル値の数字が相互に入れ替わる関係にある場合、他のシンボル遷移の発生と混在して表示されると、視覚的にどのシンボル間の遷移の傾向が高いか否かの把握が困難である。このように、ＰＡＭ４シンボルのシンボル列をキャプチャして表示するときに、波形イメージとエラーのシンボル遷移との関係、エラーの特定のシンボル間の遷移が容易に把握できず、ユーザビリティが低下する問題があった。
【０００９】
そこで、本発明は上記問題点に鑑みてなされたものであって、ＰＡＭ４信号をテスト信号として被測定物に入力し、被測定物が出力した信号のＰＡＭ４シンボルのシンボル列をキャプチャして表示するときに、波形イメージとエラーのシンボル遷移との関係、エラーの特定のシンボル間の遷移が容易に把握できる誤り率測定装置および誤り率測定方法を提供することを目的としている。
【課題を解決するための手段】
【００１０】
上記した目的を達成するために、請求項１記載の誤り率測定装置は、入力されるディジタル信号のビット列を波形イメージ表示およびビット値表示として対応付けて表示制御する制御部（４）を有し、表示部（７）に表示する誤り率測定装置（１）において、
前記ディジタル信号は４値以上のシンボル値を持つＰＡＭ（Ｐｕｌｓｅ  Ａｍｐｌｉｔｕｄｅ  Ｍｏｄｕｌａｔｉｏｎ）信号とされ、前記ビット列はシンボル列とされており、前記ビット値はシンボル値とされており、前記制御部は、前記シンボル列のそれぞれのシンボルのシンボル値を示すシンボル値表示を、前記波形イメージ表示を形成する線に対して識別可能に表示するとともに、前記ＰＡＭ信号の何れかの前記シンボルに生じたエラーによる前記シンボル値の遷移に基づいて、前記波形イメージ表示において前記エラーが生じた前記シンボルの波形に対し、振幅方向に前記エラーによる遷移量および遷移方向を帯状表示することを特徴とする。
【００１１】
請求項２記載の誤り率測定装置は、請求項１に記載の誤り率測定装置において、前記帯状表示は、あらかじめ指定した前記遷移量および前記遷移方向に応じた表示態様に基づいて表示することを特徴とする。
【００１２】
請求項３記載の誤り率測定装置は、請求項２に記載の誤り率測定装置において、前記表示態様は、色彩、輝度、透明度または点滅周期の少なくとも何れかであることを特徴とする。
【００１３】
請求項４記載の誤り率測定装置は、請求項３に記載の誤り率測定装置において、前記表示態様の前記色彩、前記輝度、前記透明度または前記点滅周期は、前記シンボル値の数字が相互に入れ替わる関係の場合には、同色彩、同輝度、同透明度または同点滅周期で統一することを特徴とする。
【００１４】
上記した目的を達成するために、請求項５記載の誤り率測定方法は、入力されるディジタル信号のビット列を波形イメージ表示およびビット値表示として対応付けて表示する誤り率測定方法において、
前記ディジタル信号は４値以上のシンボル値を持つＰＡＭ（Ｐｕｌｓｅ  Ａｍｐｌｉｔｕｄｅ  Ｍｏｄｕｌａｔｉｏｎ）信号とされ、前記ビット列はシンボル列とされており、前記ビット値はシンボル値とされており、前記シンボル列のそれぞれのシンボルのシンボル値を示すシンボル値表示を、前記波形イメージ表示を形成する線に対して識別可能に表示する表示ステップ（Ｓ３０７、Ｓ３０８）と、
前記ＰＡＭ信号の何れかの前記シンボルに生じたエラーによる前記シンボル値の遷移に基づいて、前記波形イメージ表示において前記エラーが生じた前記シンボルの波形に対し、振幅方向に前記エラーによる遷移量および遷移方向を帯状表示する表示ステップ（Ｓ３０９）とを含むことを特徴とする。
【００１５】
請求項６記載の誤り率測定方法は、請求項５に記載の誤り率測定方法において、前記帯状表示は、あらかじめ指定した前記遷移量および前記遷移方向に応じた表示態様に基づいて表示することを特徴とする。
【００１６】
請求項７記載の誤り率測定方法は、請求項６に記載の誤り率測定方法において、前記表示態様は、色彩、輝度、透明度または点滅周期の少なくとも何れかであることを特徴とする。
【００１７】
請求項８記載の誤り率測定方法は、請求項７に記載の誤り率測定方法において、前記表示態様の前記色彩、前記輝度、前記透明度または前記点滅周期は、前記シンボル値の数字が相互に入れ替わる関係の場合には、同色彩、同輝度、同透明度または同点滅周期で統一することを特徴とする。
【発明の効果】
【００１８】
本発明の誤り率測定装置および誤り率測定方法によれば、ＰＡＭ４シンボルのシンボル列をキャプチャして表示するときに、波形イメージとエラーのシンボル遷移との関係、エラーの特定のシンボル間の遷移を容易に把握することができ、ユーザビリティを向上させることが可能となる。さらに、被測定物によっては、特定のシンボル間でシンボル遷移する傾向が高い場合、すなわちシンボル値の数字が相互に入れ替わる関係にある場合、視覚的にどのシンボル遷移の傾向が高いか否かの把握が直感的に把握することが可能となる。
【図面の簡単な説明】
【００１９】
【図１】本発明に係る誤り率測定装置のブロック構成図である。
【図２】本発明に係る誤り率測定装置の動作概要および波形イメージ表示、シンボル値表示、帯状表示などの表示の一例を示す図である。
【図３】本発明に係る基準データ、入力データ、差分シンボル値、遷移名称、当該シンボルの波形に対する帯状表示の色彩、帯状表示の振幅方向の向き、帯状表示の振幅方向の高さおよび帯状表示例の対応の一例を示す図である。
【図４】本発明に係る誤り率測定方法の処理動作の一例を示すフローチャートである。
【図５】従来の誤り率測定装置の装置構成を示す概略ブロック図である。
【図６】従来の誤り率測定装置の波形イメージ表示などの表示の一例を示す図である。
【発明を実施するための形態】
【００２０】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例および運用技術などはすべて本発明の範疇に含まれる。
【００２１】
［装置構成］
まず、本発明に係る誤り率測定装置の装置構成について、図１を参照しながら説明する。
【００２２】
図１に示すように、本実施の形態の誤り率測定装置１は、信号発生器２、誤り測定器３、制御部４、操作部５、記憶部６、表示部７、データ記憶部８を備えて概略構成され、既知パターンのＰＡＭ４（４−ｌｅｖｅｌ  Ｐｕｌｓｅ  Ａｍｐｌｉｔｕｄｅ  Ｍｏｄｕｌａｔｉｏｎ）信号をテスト信号として被測定物Ｗ（ＤＵＴ：Ｄｅｖｉｃｅ  Ｕｎｄｅｒ  Ｔｅｓｔ）に入力してビット誤り率（ＢＥＲ：Ｂｉｔ  Ｅｒｒｏｒ  Ｒａｔｅ）を測定するものである。
【００２３】
信号発生器２は、図１に示すように、第１信号発生部２ａ、第２信号発生部２ｂ、信号合成出力部２ｃを備えて概略構成され、所望のＰＡＭ４信号のシンボル列（０、１、２、３のシンボル値からなるシンボルの列）となるようにＰＡＭ４信号を発生する。
【００２４】
制御部４は、ＰＡＭ４信号の誤り率を測定するため、信号発生器２、誤り検出器３、操作部５、記憶部６、表示部７、データ記憶部８を統括制御している。また、制御部４は、例えば中央処理装置（ＣＰＵ：Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの記憶素子から構成されている。
【００２５】
操作部５は、図１の誤り率測定装置１に備える例えば操作ノブ、各種キー、スイッチ、ボタンや表示部７の表示画面上のソフトキーなどのユーザインタフェースで構成される。また、操作部５は、ボーレート、シンボル列の発生条件などの設定、誤り率測定の開始・終了の指示などＰＡＭ４信号の誤り率測定に関わる各種設定を行う。なお、ボーレートやシンボル列の発生条件や、後述の波形イメージ表示開始条件、波形イメージ表示停止条件などの情報は、例えばＲＯＭ、ＲＡＭ、ハードディスクなどの記憶素子から構成される記憶部６に予め保存記憶しておき、操作部５によりユーザインタフェースを介して適宜選択設定することもできる。
【００２６】
表示部７は、図１の誤り率測定装置１に備える例えば液晶表示器などで構成され、誤り率測定に関わる設定画面や測定結果などを表示する。また、表示部７は、各コンプライアンステスト（被測定物Ｗが通信規格に適合するか否かの試験）やビット誤り率の測定画面などを表示する。なお、表示部７は、表示画面上のソフトキーなどの操作部５の操作機能を有していてもよい。
【００２７】
所望のＰＡＭ４シンボル列を発生するにあたり、第１信号発生部２ａは、第２信号発生部２ｂが生成する最下位ビット列信号（ＬＳＢ：Ｌｅａｓｔ  Ｓｉｇｎｉｆｉｃａｎｔ  Ｂｉｔ）と足し合わせてＰＡＭ４信号を生成するための最上位ビット列信号（ＭＳＢ：Ｍｏｓｔ  Ｓｉｇｎｉｆｉｃａｎｔ  Ｂｉｔ）を生成する。
【００２８】
また、第２信号発生部２ｂは、第１信号発生部２ａが生成する最上位ビット列信号と足し合わせてＰＡＭ４信号を生成するための最下位ビット列信号を生成する。
【００２９】
第１信号発生部２ａ、第２信号発生部２ｂが発生する具体的なビット列信号としては、例えばＰＲＢＳ７（パターン長：２７−１）、ＰＲＢＳ９（パターン長：２９−１）、ＰＲＢＳ１０（パターン長：２１０−１）、ＰＲＢＳ１１（パターン長：２１１−１）、ＰＲＢＳ１５（パターン長：２１５−１）、ＰＲＢＳ２０（パターン長：２２０−１）などの各種疑似ランダムパターン（ＰＲＢＳ：Ｐｓｅｕｄｏ  Ｒａｎｄｏｍ  Ｂｉｔ  Ｓｅｑｕｅｎｃｅ）といった周期パターンや、ＰＲＢＳ１３Ｑ、ＰＲＢＳ３１Ｑ、ＳＳＰＲＱなどのＰＡＭを評価するための評価用パターンがある。
【００３０】
信号合成出力部２ｃは、最上位ビット列信号と最下位ビット列信号とを足し合わせてＰＡＭ４信号を出力する。このＰＡＭ４信号は、被測定物Ｗの誤り率などを測定する際、既知パターンのテスト信号として被測定物Ｗに入力される。
【００３１】
データ記憶部８は、信号合成出力部２ｃからの既知パターンのテスト信号として被測定物Ｗに入力するＰＡＭ４信号のシンボル列（０、１、２、３のシンボル値からなるシンボルの列）を記憶する。この既知パターンのテスト信号として被測定物Ｗに入力するＰＡＭ４信号のシンボル列は、後述する被測定物Ｗから受信した信号から生成する入力データと比較するときの基準となる基準データとなっている。なお、制御部４や、第１信号発生部２ａと第２信号発生部２ｂにおいて、テスト信号となるＰＡＭ４信号のシンボル列を把握できる場合は、制御部４や、第１信号発生部２ａと第２信号発生部２ｂからデータ記憶部８へと既知パターンのテスト信号であるＰＡＭ４信号のシンボル列、すなわち基準データを記憶するように構成してもよい。
【００３２】
信号発生器２から既知パターンのテスト信号として基準データであるＰＡＭ４信号が被測定物Ｗに入力され、誤り検出器３は、このＰＡＭ４信号の入力に伴って被測定物Ｗから出力される信号を受けて誤り率などを測定する。
【００３３】
誤り検出器３は、図１に示すように、信号受信部３ａ、同期検出部３ｂ、シンボル比較部３ｃ、比較データ記憶部３ｄ、位置情報記憶部３ｅを備える。
【００３４】
信号受信部３ａは、被測定物Ｗから受信したＰＡＭ４信号を所定のサンプリング周期でサンプリングしてシンボル列（０、１、２、３のシンボル値からなるシンボルの列）に変換する。この信号受信部３ａにて変換されたシンボル列は同期検出部３ｂに入力される。
【００３５】
同期検出部３ｂは、データ記憶部８から読み込んだ基準となるＰＡＭ４信号のシンボル列のデータである基準データと、被測定物Ｗから受信して信号受信部３ａから出力されるＰＡＭ４信号のシンボル列との同期を取るようになっている。そして、シンボル比較部３ｃへ同期が取れたことを通知するとともに、同期が取れたときの基準データにおけるシンボルの位置を表す同期位置を位置情報記憶部３ｅに記憶させる。また、同期検出部３ｂは、シンボル比較部３ｃに入力データとなるシンボル列を出力する。
【００３６】
同期検出部３ｂで同期が取れた後、操作部５を介したユーザなどの指示により、シンボル比較部３ｃは、誤り率の測定を開始するときの位置にある基準データのシンボルから順に、同期検出部３ｂから出力されたシンボル列である入力データと基準データのシンボル列とを順次比較してエラーのあるシンボルを検出するようになっている。
【００３７】
シンボル比較部３ｃは、例えば、基準データのシンボルから入力データのシンボルを引き算する差分の算出を行い、基準データに対する入力データのシンボル遷移量を算出している。例えば、図３に示すように、基準データのシンボルが２、入力データのシンボルが０のとき、差分シンボル値が２となるので遷移名称はＤ２となるというようなテーブルに基づき遷移名称を決定し、比較結果データを生成している。このように、シンボル比較部３ｃは、同期検出部３ｂから出力された入力データのシンボルと、データ記憶部８に記憶されている基準となるＰＡＭ４信号の基準データのシンボルとを順次比較し、比較した結果である比較結果データを比較結果データ結果記憶部３ｄに順次格納するようになっている。比較結果データ結果記憶部３ｄに格納された比較結果データの例を図２（Ｃ）に示す。
【００３８】
比較結果データ記憶部３ｄは、操作部５から波形イメージ表示開始操作がされるか、波形イメージ表示条件を満たすと、シンボル比較部３ｃは、表示開始操作に応じて、または表示開始条件を満たす基準データのシンボルの位置の位置情報（例えば図２（Ａ）の位置２）を同期位置と共に、位置情報記憶部３ｅに記憶させる。合わせて、同期位置の位置情報をたとえば０とし、次のシンボルの位置情報を１、２、３、・・・といった追番として、それぞれの比較結果データとそれぞれの位置情報とを紐づけるよう位置情報記憶部３ｅに記憶させる。なお、波形イメージ表示開始条件とは、例えば、予め設定したシンボル遷移が発生した場合、またシンボル遷移が予め設定した所定数連続で発生した場合などをいう。
【００３９】
比較結果データ記憶部３ｄに記憶される比較結果データは、入力データのシンボルのそれぞれにおいて、基準データと比較してエラーのないシンボル、すなわちシンボル遷移がないことを示す遷移名称、および基準データと比較してエラーのあるシンボルにおいて、例えば、ＰＡＭ４信号の４つのＰＡＭシンボルの各シンボル毎の遷移量と遷移方向に基づく複数の遷移名称というシンボル遷移を区別するための情報である。例えば、図２（Ｂ）に示す入力データは、位置６、１０、１４、１７、１９、２４のシンボルがエラーである。例えば、物理層における信号劣化などの影響によって、ＰＡＭ４シンボルが遷移してシンボルエラーが生じる。比較結果データ記憶部３ｄに記憶される比較結果データの一例として、図３に示すように、基準データと入力データとを比較してエラーのないシンボルの遷移名称をＺ遷移とし、一方、エラーのあるシンボルについて、例えば、シンボル０（００）から１（０１）の遷移の遷移名称をＡ１遷移、シンボル１（０１）から０（００）の遷移の遷移名称をＡ２遷移、シンボル１（０１）から２（１０）の遷移の遷移名称をＢ１遷移、シンボル２（１０）から１（０１）の遷移の遷移名称をＢ２遷移、シンボル２（１０）から３（１１）の遷移の遷移名称をＣ１遷移、シンボル３（１１）から２（１０）の遷移の遷移名称をＣ２遷移、シンボル０（００）から２（１０）の遷移の遷移名称をＤ１遷移、シンボル２（１０）から０（００）の遷移の遷移名称をＤ２遷移、シンボル１（０１）から３（１１）の遷移の遷移名称をＥ１遷移、シンボル３（１１）から１（０１）の遷移の遷移名称をＥ２遷移、シンボル０（００）から３（１１）の遷移の遷移名称をＦ１遷移、および、シンボル３（１１）から０（００）の遷移の遷移名称をＦ２遷移として記憶している。
【００４０】
操作部５から波形イメージ表示停止操作がされるか、波形イメージ表示停止条件を満たすと、シンボル比較部３ｃは、表示停止操作に応じて、または表示停止条件を満たす基準データのシンボルの位置の位置情報（例えば図２（Ａ）の位置２８）を位置情報記憶部３ｅに記憶させる。なお、波形イメージ表示停止条件とは、例えば、シンボル遷移が予め設定した所定数連続で発生しない場合などをいう。
【００４１】
制御部４は、表示制御機能を有しており、データ記憶部８の基準データのシンボル値に基づいて、０、１、２、３のシンボル値の数字を、例えば図２（Ｄ）に示すように波形イメージ表示の位置２から位置２８のそれぞれのシンボル値に合わせてシンボル値表示として表示部７に表示する。つまり、表示開始操作に応じて、または表示開始条件を満たす基準データのシンボルの位置の位置情報（例えば図２（Ａ）の位置２）をシンボル値表示の始点とし、また表示停止操作に応じて、または表示停止条件を満たす基準データのシンボルの位置の位置情報（例えば図２（Ａ）の位置２８）をシンボル値表示の終点として表示を行う。ここで、表示されるシンボル値表示の数字に縁取りなどを行い、表示画面の背景の色彩や模様、波形イメージ表示の波形の線種、色彩に対して、数字の見易さを損なわないようにする。
【００４２】
制御部４は、データ記憶部８の基準データのシンボル値に基づいて、０、１、２、３のシンボル値にそれぞれ合わせた振幅方向の高さ、各シンボル値毎の時間軸方向の横幅となるよう波形イメージ表示を、例えば図２（Ｄ）に示すように、表示部７に表示する表示制御を行う。つまり、表示開始操作に応じて、または表示開始条件を満たす基準データのシンボルの位置の位置情報（例えば図２（Ａ）の位置２）を波形イメージ表示の始点とし、また表示停止操作に応じて、または表示停止条件を満たす基準データのシンボルの位置の位置情報（例えば図２（Ａ）の位置２８）を波形イメージ表示の終点として表示を行う。例えば、位置２の基準データを画面に向かって左隅近傍の図示しない基準位置に表示するとし、０（００）のシンボル値の振幅方向の高さは基準位置から０ピクセルの高さで、かつ、各シンボル値に対応する時間軸方向の幅は、１シンボルあたり左右方向に１００ピクセルの線状の描画を行う。次に、位置３の基準データは位置２の右方に描画を行い、位置４以降から位置２８の基準データも同様に描画を行う。また、１（０１）のシンボル値は振幅方向の高さ、すなわち画面上で０（００）のシンボル値に対して上方向に１００ピクセルの線状の描画を行い（ここでは１電圧範囲ともいう）、２（１０）のシンボル値は画面上で０（００）のシンボル値に対して上方向に２００ピクセルの線状の描画を行い（ここでは２電圧範囲ともいう）、３（１１）のシンボル値は画面上で０（００）のシンボル値に対して上方向に３００ピクセルの線状の描画を行う（ここでは３電圧範囲ともいう）。また、シンボル値表示の数字と波形イメージ表示の波形の色彩をそれぞれ違う色彩とすることが望ましい。また、波形イメージ表示の波形がシンボル値表示の数字と重なるときには波形イメージの該当の波形の線を点線などとして数字が見やすい線種となるように表示するようにしてもよい。なお、シンボル値表示と、波形イメージ表示の実行順序は順不同の構成や同時実行の構成としてもよい。
【００４３】
制御部４は、比較データ記憶部３ｄの比較結果データに基づいて、図２（Ｄ）に示す波形イメージ表示に対し、図２（Ｅ）に示すようにそれぞれのシンボルの遷移名称に対応する帯状表示の色彩、当該シンボルの波形に対する帯状表示の振幅方向の向き、当該シンボルの波形に対する帯状表示の振幅方向の高さとなるよう、重ねて表示する表示制御を行う。本発明においては、これらの表示を帯状表示の表示態様という。つまり、表示開始操作に応じて、または表示開始条件を満たす基準データのシンボルの位置の位置情報（例えば図２（Ａ）の位置２）を当該シンボルの波形に対する帯状表示の始点とし、また表示停止操作に応じて、または表示停止条件を満たす基準データのシンボルの位置の位置情報（例えば図２（Ａ）の位置２８）を当該シンボルの波形に対する帯状表示の終点として表示を行う。帯状表示の表示位置は、位置情報記憶部３ｅに記憶させた比較結果データと位置情報との紐づけを用いて、基準データの各シンボルの位置情報と帯状表示が対応するよう表示制御処理を行う。例えば、位置６は、基準データのシンボルは３（１１）であるが、入力データのシンボルは２（１０）へとシンボル遷移しているので、遷移名称はＣ２となる。この遷移名称Ｃ２に対応する帯状表示の色彩、帯状表示の振幅方向の向き、帯状表示の振幅方向の高さは、図３から、色彩は青、当該シンボルの波形に対する振幅方向の向きは下、当該シンボルの波形に対する振幅方向の高さは１電圧範囲となる。このことから、位置６の波形イメージ表示に対し、線状の波形に対して１電圧範囲で下向きの青色の帯状表示を行う。また、例えば、位置１０は、基準データのシンボルは１（０１）であるが、入力データのシンボルは０（００）へとシンボル遷移しているので、遷移名称はＡ２となる。この遷移名称Ａ２に対応する帯状表示の色彩、当該シンボルの波形に対する帯状表示の振幅方向の向き、当該シンボルの波形に対する帯状表示の振幅方向の高さは、図３から、色彩は赤、当該シンボルの波形に対する振幅方向の向きは下、当該シンボルの波形に対する振幅方向の高さは１電圧範囲となる。このことから、位置１０の波形イメージ表示に対し、図示しない基準位置、すなわちシンボル１（０１）の線状の波形を描画すべき高さ方向の位置から１電圧範囲で下向きの赤色の帯状表示を行う。なお、シンボル値表示と、波形イメージ表示および帯状表示の実行順序は順不同の構成や同時実行の構成としてもよい。さらに、シンボル値表示と、波形イメージ表示がされた状態で、操作部５からのユーザの操作により帯状表示を任意に表示、非表示するようにしてもよい。
【００４４】
シンボル遷移の種類は１２種類あるため、１２色の色分けをすると色数が多く、一目でどのようなエラーが入ったか、すなわちどのようなシンボル遷移が生じたかが分かりにくいことから、図３に示すように、表示態様として、例えばシンボル０から１へのシンボル遷移と、シンボル１から０へのシンボル遷移は赤色の同色彩で統一し、例えばシンボル１から２へのシンボル遷移と、シンボル２から１へのシンボル遷移は黄色の同色彩で統一し、他のシンボル遷移についても、シンボル値の数字が相互に入れ替わる関係の場合には同色彩で統一するようにしてもよい。これにより、図３の例の場合には、シンボル値の数字が相互に入れ替わる関係を同色彩とすることで６色の色分けとなり、どのようなシンボル遷移が生じたかに加え、そのアイ開口部の１つまたは複数にまたがってエラーが挿入されるようにシンボルが遷移していることが容易に判別可能となる。さらに、シンボル値の数字が相互に入れ替わる関係においては、表示態様として、帯状表示の輝度、透明度または点滅周期は、それぞれ同輝度、同透明度または同点滅周期で統一するようにしてもよい。同様にして、シンボルエラーがある位置１４、１７、１９、２４のシンボルに対しても、帯状表示を行う。これらの表示例の一例を図３の帯状表示例にそれぞれ示す。また、各遷移名称に対応する帯状表示の表示態様は、色彩による識別に限られず、輝度、透明度または点滅周期の差異による識別や、またはこれらの組み合わせであってもよい。
【００４５】
なお、波形イメージ表示開始操作、波形イメージ表示条件、波形イメージ表示停止操作および波形イメージ表示停止条件は、例えば、特定パターンのあるシンボル列を検出した場合、一定の周期毎にあらわれるシンボル列を検出した場合、または、既知の通信プロトコルに準拠したデータの開始フラグなどを検出した場合などを含む。なお、本例においては、ＰＡＭのシンボル値は４値のＰＡＭ４信号として説明したが、これに限られず、４値以上のＰＡＭ信号、例えばシンボル値が８値のＰＡＭ８信号であっても、本発明を適用可能である。
【００４６】
なお、本実施の形態では、図１に示すように、誤り率検出装置１に信号発生器２、誤り検出器３、制御部４、操作部５、表示部７が含まれる構成としたが、この構成に限定されるものではない。例えば、信号発生器２と誤り検出器３をそれぞれ別々にモジュール化または個別筐体とし、操作部５、表示部７を外部に接続したパーソナルコンピュータなどの外部装置で構成することもできる。
【００４７】
［処理動作］
次に、誤り率測定装置１における処理動作について、図４を参照しながら説明する。なお、上述の装置と重複する箇所は説明を適宜省略する。
【００４８】
既知パターンのテスト信号として被測定物Ｗに入力するＰＡＭ４信号のシンボル列を基準データとして記憶する（Ｓ３０１）。
【００４９】
被測定物Ｗから受信したＰＡＭ４信号を所定のサンプリング周期でサンプリングしてシンボル列に変換する（Ｓ３０２）。
【００５０】
基準となるＰＡＭ４信号のシンボル列のデータである基準データと、被測定物Ｗから受信したＰＡＭ４信号に基づくシンボル列との同期を取る。また、同期が取れたときの基準データにおけるシンボルの位置を表す同期位置を記憶するとともに、入力データとなるシンボル列を出力する（Ｓ３０３）。
【００５１】
操作部５を介したユーザなどの指示により、誤り率の測定を開始するときの位置にあるシンボルから順に、同期されたシンボルと基準データとを順次比較してエラーのあるシンボルを検出するとともに、比較した結果である比較結果データを記憶する（Ｓ３０４）。
【００５２】
波形イメージ表示開始操作がされるか、波形イメージ表示開始条件を満たすと、表示開始操作に応じて、または表示開始条件を満たす基準データのシンボルの位置の位置情報（例えば図２（Ａ）の位置２）を同期位置と共に記憶する（Ｓ３０５）。
【００５３】
波形イメージ表示停止操作がされるか、波形イメージ表示停止条件を満たすと、表示停止操作に応じて、または表示停止条件を満たす基準データのシンボルの位置の位置情報（例えば図２（Ａ）の位置２８）を記憶する（Ｓ３０６）。
【００５４】
基準データのシンボル値に基づいて、０、１、２、３のシンボル値の数字を、例えば図２（Ｄ）に示すように波形イメージ表示の位置２から位置２８のそれぞれのシンボル値に合わせてシンボル値表示として表示する（Ｓ３０７）。
【００５５】
基準データのシンボル値に基づいて、０、１、２、３のシンボル値にそれぞれ合わせた振幅方向の高さ、各シンボル値毎の時間軸方向の横幅となるよう波形イメージ表示を図２（Ｄ）に示すように表示する（Ｓ３０８）。なお、Ｓ３０７とＳ３０８のステップの実行順序は順不同の構成や同時実行の構成としてもよい。
【００５６】
比較結果データに基づいて、図２（Ｄ）に示す波形イメージ表示に対し、図２（Ｅ）に示すようにそれぞれのシンボルの遷移名称に対応する帯状表示の色彩、当該シンボルの波形に対する帯状表示の振幅方向の向き、当該シンボルの波形に対する帯状表示の振幅方向の高さとなるよう、重ねて表示する（Ｓ３０９）。これらの表示を帯状表示の表示態様という。また、各遷移名称に対応する帯状表示の表示態様は、色彩による識別に限られず、輝度、透明度または点滅周期の差異による識別や、またはこれらの組み合わせであってもよい。なお、シンボル値表示と、波形イメージ表示および帯状表示の実行順序は順不同の構成や同時実行の構成としてもよい。さらに、シンボル値表示と、波形イメージ表示がされた状態で、ユーザの操作により帯状表示を任意に表示、非表示するようにしてもよい。また、表示態様として、シンボル値の数字が相互に入れ替わる関係の場合には同色彩で統一するようにしてもよい。さらに、シンボル値の数字が相互に入れ替わる関係においては、表示態様として、帯状表示の輝度、透明度または点滅周期は、それぞれ同輝度、同透明度または同点滅周期で統一するようにしてもよい。
【符号の説明】
【００５７】
１…誤り率測定装置
２…信号発生器
２ａ…第１信号発生部
２ｂ…第２信号発生部
２ｃ…信号合成出力部
３…誤り検出器
３ａ…信号受信部
３ｂ…同期検出部
３ｃ…シンボル比較部
３ｄ…比較結果データ記憶部
３ｅ…位置情報記憶部
４…制御部
５…操作部
６…記憶部
７…表示部
８…データ記憶部
Ｗ…被測定物（ＤＵＴ）
【図１】
2020136872.tif 000003
【図２】
2020136872.tif 000004
【図３】
2020136872.tif 000005
【図４】
2020136872.tif 000006
【図５】
2020136872.tif 000007
【図６】
2020136872.tif 000008